【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
表面上の数値情報項目をコード化するためのパターンであって、シンボル組（ＥＮＳ１）に属する複数のシンボルの特定の配置（Ｐ１、Ｐ’１）を備え、前記配置内の各シンボルが前記数値情報項目の一部をコード化するようになっている、パターンにおいて、各シンボルが、特定の方法で配置される要素（Ｅ１、Ｅ２）の少なくとも１つの示差対から成り、各要素がパラメータによって特徴付けられ、各示差対の第１の要素のパラメータが第１の値を有し、各示差対の第２の要素のパラメータが前記第１の値とは異なる第２の値を有する、ことを特徴とするパターン。
【請求項２】
前記シンボル組の前記シンボルが全て異なる、請求項１に記載のパターン。
【請求項３】
前記シンボル組の前記シンボルが全て同一である、請求項１に記載のパターン。
【請求項４】
示差対の２つの前記要素（Ｅ１、Ｅ２）のパラメータの値は、一方が第１の基準値よりも大きく、他方が第１の基準値よりも小さく、および／または、２つの値の差が第２の基準値よりも大きい、請求項１〜３のいずれか一項に記載のパターン。
【請求項５】
前記シンボル組の各シンボルが、１つの第１の表示（Ａ１、Ｂ１、Ｃ１、Ｄ１）と、前記第１の表示とは異なる１つの第２の表示（Ａ２、Ｂ２、Ｃ２、Ｄ２）とを少なくとも有し、前記シンボルの少なくとも１つの示差対の要素のパラメータの値がいずれも、前記第１の表示と前記第２の表示との間で異なる、請求項１〜４のいずれか一項に記載のパターン。
【請求項６】
シンボルの一表示における要素の示差対の前記第１の要素および前記第２の要素の位置が、同じシンボルの他の表示における同じ示差対の前記第１の要素および前記第２の要素の位置の逆である、請求項５に記載のパターン。
【請求項７】
示差対の２つの要素のパラメータの値の差が閾値よりも大きい、請求項４〜６のいずれか一項に記載のパターン。
【請求項８】
要素の示差対の２つの要素のパラメータの値は、一方が前記示差対に隣接する示差対におけるパラメータの平均値よりも大きく、他方が前記平均値よりも小さい、請求項４〜７のいずれか一項に記載のパターン。
【請求項９】
前記パターンが、ピクセルを備える画像（ＩＭＧＭ）内の表面上に配置され、前記要素が前記画像の変更されたピクセルであり、前記パラメータが少なくとも１つの比色ピクセル成分（ＶＩＪ）である、請求項１〜８のいずれか一項に記載のパターン。
【請求項１０】
請求項１〜９のいずれか一項に記載の少なくとも１つのパターンを備えるセキュリティ物品またはセキュリティデバイス（ＳＵＰ）。
【請求項１１】
表面上の数値情報項目をコード化するためのパターンをマーキングする方法において、
シンボル組（ＥＮＳ１）に属する複数のシンボルのために特定の配置が規定されるステップであって、前記配置内の各シンボルが数値情報の一部をコード化するようになっており、各シンボルが、特定の方法で配置される要素の少なくとも１つの示差対から成り、各要素がパラメータにより特徴付けられ、第１の要素のパラメータが第１の値を有し、第２の要素のパラメータが前記第１の値とは異なる第２の値を有する、ステップと、
前記数値情報項目をコード化するためのパターンが複数のシンボルの前記特定の配置を用いて作成されるステップと、
表面が用意されるステップと、
複数の要素（Ｅ１、Ｅ２）が前記表面上にマーキングされるステップであって、前記要素がそれぞれ前記パラメータによって特徴付けられる、ステップと、
を含み、
複数の要素をマーキングするための前記ステップが、マーキングされた特定の要素が数値情報項目コーディングパターンを形成するように行なわれる、ことを特徴とする方法。
【請求項１２】
前記シンボル組の前記シンボルが全て異なる、請求項１１に記載の方法。
【請求項１３】
前記シンボル組の前記シンボルが全て同一である、請求項１１に記載の方法。
【請求項１４】
示差対の２つの要素の前記パラメータの値は、一方が第１の基準値よりも大きく、他方が第１の基準値よりも小さく、および／または、前記２つの値の差が第２の基準値よりも大きい、請求項１１〜１３のいずれか一項に記載の方法。
【請求項１５】
前記シンボル組の各シンボルごとに、１つの第１の表示（Ａ１、Ｂ１、Ｃ１、Ｄ１）と、前記第１の表示とは異なる１つの第２の表示（Ａ２、Ｂ２、Ｃ２、Ｄ２）とが少なくとも規定され、前記シンボルの少なくとも１つの示差対の前記要素のパラメータの値がいずれも、前記第１の表示と前記第２の表示との間で異なる、請求項１１〜１４のいずれか一項に記載の方法。
【請求項１６】
シンボルの一表示における要素の示差対の前記第１の要素および前記第２の要素の位置が、同じシンボルの他の表示における同じ示差対の前記第１の要素および前記第２の要素の位置の逆である、請求項１５に記載の方法。
【請求項１７】
示差対の２つの要素のパラメータの値の差が閾値よりも大きい、請求項１４〜１６のいずれか一項に記載の方法。
【請求項１８】
要素の示差対の２つの要素のパラメータの値は、一方が前記示差対に隣接する示差対における前記パラメータの平均値よりも大きく、他方が前記平均値よりも小さい、請求項１４〜１７のいずれか一項に記載の方法。
【請求項１９】
前記パターンが、ピクセルを備える画像（ＩＭＧＭ）内にマーキングされ、前記要素が前記画像のピクセルであり、前記パラメータが少なくとも１つの比色ピクセル成分である、請求項１１〜１８のいずれか一項に記載の方法。
【請求項２０】
表面上にマーキングされたパターン内のコード化された数値情報項目を読み取るための方法であって、前記パターンが、パラメータによりそれぞれ特徴付けられるマーキングされた要素を備える、方法において、
シンボル組（ＥＮＳ１）に属する複数のシンボルの特定の配置（Ｐ１、Ｐ’１）が記憶されるステップであって、前記配置内の各シンボルが、数値情報の一部をコード化するようになっており、各シンボルが、特定の方法で配置される要素の少なくとも１つの示差対から成り、各示差対の第１の要素のパラメータが第１の値を有し、各示差対の第２の要素のパラメータが前記第１の値とは異なる第２の値を有する、ステップと、
前記パターンの少なくとも一部を含む前記表面の領域の前記要素の画像が取得されるステップと、
前記パターンを形成する前記要素が前記記憶された配置を用いて識別されるステップと、
前記パターンの前記シンボルが前記記憶された配置を用いて識別されるステップと、
を含む、ことを特徴とする方法。
【請求項２１】
前記シンボル組の前記シンボルが全て異なる、請求項２０に記載の方法。
【請求項２２】
前記シンボル組の前記シンボルが全て同一である、請求項２０に記載の方法。
【請求項２３】
識別された前記シンボルの数が計算され、その計算結果が確率閾値と比較される、請求項２０〜２２のいずれか一項に記載の方法。
【請求項２４】
前記シンボルの識別が、示差対のマーキングされた２つの要素のパラメータの値と第１の基準値との比較、および／または、２つの値の差と基準値との比較も含む、請求項２０〜２３のいずれか一項に記載の方法。
【請求項２５】
前記記憶された配置の各シンボルが、１つの第１の表示（Ａ１、Ｂ１、Ｃ１、Ｄ１）と、前記第１の表示とは異なる１つの第２の表示（Ａ２、Ｂ２、Ｃ２、Ｄ２）とを少なくとも有し、前記要素のパラメータの値がいずれも、前記第１の表示と前記第２の表示との間で異なる、請求項２０〜２４のいずれか一項に記載の方法。
【請求項２６】
シンボルの一表示における要素の示差対の前記第１の要素および前記第２の要素の位置が、同じシンボルの他の表示における同じ示差対の前記第１の要素および前記第２の要素の位置の逆である、請求項２５に記載の方法。
【請求項２７】
前記シンボルの識別が、示差対の２つの要素のパラメータの値の差の閾値との比較も含む、請求項２４〜２６のいずれか一項に記載の方法。
【請求項２８】
前記シンボルの識別が、要素の示差対に隣接する示差対における前記パラメータの平均値の測定を含み、この平均値が、前記示差対の各要素のパラメータの値と比較される、請求項２４〜２７のいずれか一項に記載の方法。
【請求項２９】
前記パターンが、ピクセルを備える画像内にマーキングされ、前記要素が前記画像のピクセルであり、前記パラメータが少なくとも１つの比色ピクセル成分である、請求項２０〜２８のいずれか一項に記載の方法。
【請求項３０】
請求項１１〜１９のいずれか一項に記載の方法を実施するのに適したマーキングシステムであって、前記特定の配置と前記コーディングパターンとを規定するのに適した処理手段と、前記パラメータにより特徴付けられる要素を表面上にマーキングするための手段とを備える、マーキングシステム。
【請求項３１】
物品またはセキュリティデバイス（ＳＵＰ）を認証するための、請求項１〜９のいずれか一項に記載のパターンの使用。